【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
以下の条件式（１）を満足することを特徴とするズームレンズ。
３．５≦ＬＴＬw／ＩＨt≦８．９      （１）
ここで、
ＬＴＬwは、広角端での光軸上での無限遠合焦時における前記ズームレンズの最も物体側の屈折面から最も像側の屈折面までの光軸上での距離と空気換算したバックフォーカスとの和、
ＩＨtは、前記ズームレンズの望遠端での光軸上無限遠合焦時における最大像高
である。
【請求項２】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は負レンズと複数の正レンズを有し、
以下の条件式（２）を満足することを特徴とするズームレンズ。
３．５≦ＬＴＬw／ＩＨt≦１０．０      （２）
ここで、
ＬＴＬwは、広角端での光軸上での無限遠合焦時における前記ズームレンズの最も物体側の屈折面から最も像側の屈折面までの光軸上での距離と空気換算したバックフォーカスとの和、
ＩＨtは、前記ズームレンズの望遠端での光軸上無限遠合焦時における最大像高
である。
【請求項３】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズと
を有し、
前記第３レンズ群の物体側面から前記２枚のレンズよりも物体側直前のレンズの像側面までの合成屈折力が正であり、
前記像側レンズは正屈折力のレンズ面を有し、
以下の条件式（３）を満足することを特徴とするズームレンズ。
０．５≦｜ｆ2／ＩＨt｜≦１．３      （３）
ここで、
ｆ2は、前記第２レンズ群の焦点距離、
ＩＨtは、前記ズームレンズの望遠端での光軸上無限遠合焦時における最大像高
である。
【請求項４】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズと
を有し、
前記第３レンズ群の物体側面から前記２枚のレンズよりも物体側直前のレンズの像側面までの合成屈折力が正であり、
前記像側レンズは正屈折力のレンズ面を有し、
以下の条件式（４）を満足することを特徴とするズームレンズ。
０．７≦ｆ3／ＩＨt≦２．０      （４）
ここで、
ｆ3は、前記第３レンズ群の焦点距離、
ＩＨtは、前記ズームレンズの望遠端での光軸上無限遠合焦時における最大像高
である。
【請求項５】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズと
を有し、
前記第３レンズ群の物体側面から前記２枚のレンズよりも物体側直前のレンズの像側面までの合成屈折力が正であり、
前記像側レンズは正屈折力のレンズ面を有し、
以下の条件式（５）を満足することを特徴とするズームレンズ。
０．６≦ｆ3／ｆw≦１．６      （５）
ここで、
ｆ3は、前記第３レンズ群の焦点距離、
ｆwは、前記ズームレンズの広角端での光軸上無限遠合焦時における焦点距離
である。
【請求項６】
以下の条件式（６）を満足することを特徴とする請求項１から請求項５のいずれか１項に記載のズームレンズ。
４．０≦ｆ1／ｆw≦８．５      （６）
ここで、
ｆ1は、前記第１レンズ群の焦点距離、
ｆwは、前記ズームレンズの広角端での光軸上無限遠合焦時における焦点距離
である。
【請求項７】
前記第２レンズ群が以下の条件式（７）を満足する正レンズを有することを特徴とする請求項１から請求項６のいずれか１項に記載のズームレンズ。
１３≦νd2p≦２３      （７）
ここで、
νd2pは、前記第２レンズ群中の何れかの正レンズのアッベ数
である。
【請求項８】
以下の条件式（８）を満足することを特徴とする請求項１から請求項７のいずれか１項に記載のズームレンズ。
−１８．０％≦ＤＴw≦−６．０％      （８）
ここで、
ＤＴw＝｛ＩＨw−ｆw×ｔａｎ（ωw）｝／｛ｆw×ｔａｎ（ωw）｝×１００（％）
ｆwは、前記ズームレンズの広角端での光軸上無限遠合焦時における焦点距離、
ＩＨwは、前記ズームレンズの広角端での光軸上無限遠合焦時における最大像高、
ωwは、前記ズームレンズの広角端での光軸上無限遠合焦時における半画角
である。
【請求項９】
レンズ成分を光路中にて空気と接触する面が物体側面と像側面の２面のみのレンズブロックとするとき、
前記第２レンズ群は物体側から順に、
負屈折力の第１負レンズ成分と、負屈折力の第２負レンズ成分と、正屈折力の正レンズ成分との３つのレンズ成分からなることを特徴とする請求項１から請求項８のいずれか１項に記載のズームレンズ。
【請求項１０】
前記第２レンズ群中の前記第１負レンズ成分、前記第２負レンズ成分、及び前記正レンズ成分は何れも単レンズであることを特徴とする請求項９に記載のズームレンズ。
【請求項１１】
前記第３レンズ群は、物体側から像側に順に、
前記物体側正レンズ、前記２枚のレンズ、及び前記像側レンズの４枚のレンズからなり、前記像側レンズが正レンズであることを特徴とする請求項３、請求項４、及び請求項５のいずれか１項に記載のズームレンズ。
【請求項１２】
前記２枚のレンズと前記像側レンズにて接合トリプレットレンズを構成することを特徴とする請求項１１に記載のズームレンズ。
【請求項１３】
前記第１レンズ群は、物体側から像側に順に、負レンズ、第１正レンズ、及び第２正レンズからなることを特徴とする請求項１から請求項１２のいずれか１項に記載のズームレンズ。
【請求項１４】
前記第１レンズ群中の前記負レンズと前記第１正レンズとが互いに接合されていることを特徴とする請求項１３に記載のズームレンズ。
【請求項１５】
前記第１レンズ群が正レンズを有し、
前記第１レンズ群中の全ての正レンズが以下の条件式（９）を満足することを特徴とする請求項１から請求項１４のいずれか１項に記載のズームレンズ。
νd1p＞６２      （９）
ここで、
νd1pは、前記第１レンズ群中の正レンズのアッベ数である。
【請求項１６】
前記第１レンズ群中のいずれかの正レンズが以下の条件式（１０）を満足することを特徴とする請求項１から請求項１５のいずれか１項に記載のズームレンズ。
νd1p＞６５      （１０）
ここで、
νd1pは、前記第１レンズ群中の正レンズのアッベ数である。
【請求項１７】
前記第２レンズ群が以下の条件式（１１）を満足する正レンズを有することを特徴とする請求項１から請求項１６のいずれか１項に記載のズームレンズ。
０．６２０≦θgF2p≦０．６９０      （１１）
ここで、
θgF2p＝（ｎg2p−ｎF2p）／（ｎF2p−ｎC2p）
であり、
ｎg2pは、前記第２レンズ群中の前記正レンズのｇ線波長に対する屈折率、
ｎF2pは、前記第２レンズ群中の前記正レンズのＦ線波長に対する屈折率、
ｎC2pは、前記第２レンズ群中の前記正レンズのＣ線波長に対する屈折率
である。
【請求項１８】
前記第３レンズ群中の前記２枚のレンズの像側直後のレンズは物体側に凸の物体側面をもち、
以下の条件式（１２）を満足することを特徴とする請求項３、請求項４、請求項５、請求項１１、及び請求項１２のいずれか１項に記載のズームレンズ。
ＲRO／ＲCI≦１      （１２）
ここで、
ＲROは、前記第３レンズ群中の前記２枚のレンズの像側直後のレンズの物体側面の近軸曲率半径
ＲCIは、前記第３レンズ群中の前記２枚のレンズのうち像側のレンズの像側面の近軸曲率半径
である。
【請求項１９】
以下の条件式（１３）を満足することを特徴とする請求項１から請求項１８のいずれか１項に記載のズームレンズ。
３７°≦ωw≦  ５０°      （１３）
ここで、
ωwは、前記ズームレンズの広角端での光軸上無限遠合焦時における半画角である。
【請求項２０】
以下の条件式（１４）を満足することを特徴とする請求項１９に記載のズームレンズ。
４．５≦ｆt／ｆw      （１４）
ここで、
ｆwは、前記ズームレンズの広角端での光軸上無限遠合焦時における焦点距離、
ｆtは、前記ズームレンズの望遠端での光軸上無限遠合焦時における焦点距離
である。
【請求項２１】
以下の条件式（２）を満足することを特徴とする請求項１から請求項２０のいずれか１項に記載のズームレンズ。
３．５≦ＬＴＬw／ＩＨt≦１０．０      （２）
ここで、
ＬＴＬwは、広角端での光軸上での無限遠合焦時における前記ズームレンズの最も物体側の屈折面から最も像側の屈折面までの光軸上での距離と空気換算したバックフォーカスとの和、
ＩＨtは、前記ズームレンズの望遠端での光軸上無限遠合焦時における最大像高
である。
【請求項２２】
前記第３レンズ群は負レンズと複数の正レンズを有することを特徴とする請求項１から請求項２１のいずれか１項に記載のズームレンズ。
【請求項２３】
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズとを有し、
前記第３レンズ群の物体側面から前記２枚のレンズよりも物体側直前のレンズの像側面までの合成屈折力が正であり、
前記像側レンズは正屈折力のレンズ面を有することを特徴とする請求項１から請求項２２のいずれか１項に記載のズームレンズ。
【請求項２４】
以下の条件式（３）を満足することを特徴とする請求項１から請求項２３のいずれか１項に記載のズームレンズ。
０．５≦｜ｆ2／ＩＨt｜≦１．３      （３）
ここで、
ｆ2は、前記第２レンズ群の焦点距離、
ＩＨtは、前記ズームレンズの望遠端での光軸上無限遠合焦時における最大像高
である。
【請求項２５】
以下の条件式（４）を満足することを特徴とする請求項１から請求項２４のいずれか１項に記載のズームレンズ。
０．７≦ｆ3／ＩＨt≦２．０      （４）
ここで、
ｆ3は、前記第３レンズ群の焦点距離、
ＩＨtは、前記ズームレンズの望遠端での光軸上無限遠合焦時における最大像高
である。
【請求項２６】
以下の条件式（５）を満足することを特徴とする請求項１から請求項２５のいずれか１項に記載のズームレンズ。
０．６≦ｆ3／ｆw≦１．６      （５）
ここで、
ｆ3は、前記第３レンズ群の焦点距離、
ｆwは、前記ズームレンズの広角端での光軸上無限遠合焦時における焦点距離
である。
【請求項２７】
前記第５レンズ群は、前記広角端から望遠端への変倍に際して静止し、
前記第４レンズ群が、無限遠から至近距離物体へのフォーカシングの際に像側に移動することを特徴とする請求項１から請求項２６のいずれか１項に記載のズームレンズ。
【請求項２８】
ズームレンズと、
前記ズームレンズの像側に配置され前記ズームレンズにより形成された像を電気信号に変換する撮像素子とを備え、
前記ズームレンズが、請求項１から請求項２７のいずれか１項に記載のズームレンズであることを特徴とする撮像装置。
【請求項２９】
前記ズームレンズが請求項３、請求項４、請求項５、及び請求項１１のいずれか１項に記載のズームレンズであり、
前記第３レンズ群中の前記２枚のレンズの像側直後のレンズは物体側に凸の物体側面をもち、
像ぶれの防止のために、前記第３レンズ群中且つ前記２枚のレンズよりも像側のレンズが前記２枚のレンズに対して偏心移動し、
以下の条件式（１５）を満足することを特徴とする請求項２８に記載の撮像装置。
ＲRO／ＲCI≦１      （１５）
ここで、
ＲROは、前記第３レンズ群中の前記２枚のレンズの像側直後のレンズの物体側面の近軸曲率半径、
ＲCIは、前記第３レンズ群中の前記２枚のレンズのうち像側のレンズの像側面の近軸曲率半径
である。
【請求項３０】
前記像側レンズが正レンズであり、前記２枚のレンズよりも像側直後のレンズの物体側面から前記第３レンズ群の像側面までの合成屈折力が正であることを特徴とする請求項３、４、５、２３のいずれか１項に記載のズームレンズ。
【請求項３１】
前記２枚のレンズよりも像側直後のレンズの物体側面から前記第３レンズ群の像側面までの合成屈折力が負であることを特徴とする請求項３、４、５、２３のいずれか１項に記載のズームレンズ。